(57)【要約】【課題】１本の釣り針に１本の釣り糸を複数収納できる台紙において、太い釣り糸を結んだ糸付針を収納した場合でも、スムーズに取り出せることができる糸付針収納台紙を得ることを目的とする。【解決手段】糸付針収納台紙において、台紙底部４の釣り糸掛け部を釣り糸との摩擦抵抗が少ない形状にする。具体的には、台紙底部４の釣り糸掛け部を、中央部に設けた穴７と、前記穴７の右及び左側に設けた切り込み線Ｃ、Ｃと、前記切り込み線Ｃ、Ｃの中心付近に直交するように形成した折り曲げ線Ｄ、Ｄ及び、切り込み線Ｃ、Ｃに通す細棒８とで構成する。または、円形もしくは多角形のフレーム状の部材を用いて構成する。【選択図】        図１
2004313067.tif 000002
【特許請求の範囲】
【請求項１】
少なくとも台紙を横方向に３等分する折り曲げ線Ａ，Ａと台紙中央部２の底辺に折り曲げ線Ｂを形成し、台紙中央部２と一体となって下部に形成されている台紙底部４を有する台紙において、台紙底部４の釣り糸掛け部を、中央部に設けた穴７と、前記穴７の右及び左側に設けた切り込みＣ、Ｃと、前記切り込みＣ、Ｃの中心付近に直交するように形成した折り曲げ線Ｄ、Ｄ及び、切り込みＣ、Ｃに通す細棒８とで構成することを特徴とする糸付き針収容台紙。
【請求項２】
少なくとも台紙を横方向に３等分する折り曲げ線Ａ，Ａと台紙中央部２の底辺に折り曲げ線Ｂを形成し、台紙中央部２と一体となって、下部に形成されている台紙底部４を有する台紙において、台紙底部４の釣り糸掛け部を、フレーム状の部材を用いて構成することを特徴とする糸付き針収容台紙
【発明の詳細な説明】
【０００１】
【発明の属する技術分野】
本考案は、釣り針１本に対して釣り糸１本を結んだ糸付き針を複数収容することが出来る台紙に関するものである。
【０００２】
【従来の技術】
従来の釣り針１本に対して釣り糸１本を結んだ糸付き針を複数収容することが出来る台紙は、図２に示す意匠登録第１０６９９２６号がある。これは、台紙において横方向に３等分する折り曲げ線Ａ，Ａを形成し、台紙中央部２の上部に針掛けを差し込む為の切り込み９と、釣り糸を裏側に通す為の切り込み１０を複数有し、台紙中央部２の底辺に折り曲げ線Ｂを形成し、台紙中央部２と一体となって、下部に形成されている台紙底部４を有する。
【０００３】
また、台紙右部３に差込み端１３を差し込む為の切り込み１２を形成し、上端に折り曲げ線Ｅと台紙右部３と一体となっている折りしろ１１を有し、台紙左部１には、差込み端１３を形成している。そして、台紙中央部２に２箇所、台紙右部３に４箇所、台紙底部４に１箇所、半円形の切り込み５とその両端に円形６を窄設して形成された釣り糸掛け部を有する。
【０００４】
この台紙に糸付き針を収容するには、図３の如く、釣り針１５を針掛け１４に掛け、釣り糸１６を適当な位置にある切り込み１０より裏側に通し、順に台紙中央部２、台紙右部３、台紙底部４の釣り糸掛け部に掛かり止めさせ、各折曲げ線Ａ，Ａ，Ｂ，Ｅより、台紙右部３、台紙左部１、台紙底部４および折りしろ１１を裏側に折り曲げ、差込み端１３を切り込み１２に差し込むことにより図４の如く、糸付き針を収容することが出来る。
【０００５】
【発明が解決しようとする課題】
意匠登録第１０６９９２６号の台紙は、複数の糸付き針を互いに絡み合うことなく収容し、糸付き針を取り出すときも、台紙を展開することなく、釣り針をつまんで引き抜くだけで糸付き針を取り出すことが出来る。ただ、釣り糸が太くなるほど引き抜きにくくなるという欠点があった。本発明は、意匠登録第１０６９９２６号の台紙を改良し、この欠点を解消したもである。
【０００６】
糸付き針が引き難くなる一因は、釣り糸掛け部の形状にある。この釣り糸掛け部は半円形の切り込み５とその両端に円形６を窄設することにより形成されている。図３のように、釣り糸掛け部に釣り糸を掛けるには、半円形の切り込み５から釣り糸を通し、両端の円形の穴６に釣り糸を掛けることにより行う。この円形の穴６の周縁と釣り糸との接点に生じる抵抗により、釣り糸は掛かり止めされている。このように、釣り糸掛け部は、糸付き針を収容する際には、釣り糸が台紙から外れないようにするストッパーの役目を果たすが、台紙から引き抜くときには、逆に円形の穴６の周縁と釣り糸の接点に生じる抵抗により、釣り糸をスムーズに引き抜くのを妨げる。この抵抗は、掛け止めている釣り糸が細い場合には問題ないが、釣り糸が太い場合、具体的には４号以上の釣り糸を掛け止めている場合には、台紙から引き抜き難くなるという現象を生じさせる。これは、抵抗が生じる円形の穴６が各釣り糸掛け部に２箇所あり、そして、この釣り糸掛け部は全体で７箇所あるので、釣り糸が太くなればなるほど糸付き針全体にかかる抵抗は相乗的に大きくなり、引き抜き難くなる為である。
【０００７】
【課題を解決するための手段】
本願発明は、糸付き針の釣り糸を収容する際には、図７の如く、切り込み１０より裏側に通した釣り糸を最初に台紙底部４の釣り糸掛け部に掛け、続いて順次台紙右部３の釣り糸掛け部に掛けていく。そのため、糸付き針を引き抜く際、台紙の釣り糸掛け部の中では台紙底部４にある釣り糸掛け部に最初に力が伝わる為、この台紙底部４の釣り糸掛け部での釣り糸の抜け具合が、その後に続く台紙右部３の釣り糸掛け部での釣り糸の抜け具合に大きく影響を与える。よって、台紙底部４の釣り糸掛け部での釣り糸のすべりがよければ、後続の台紙右部３の釣り糸掛け部に掛けられた釣り糸まで、力があまり減衰することなく伝わるので、台紙右部３の各釣り糸掛け部に掛けられた釣り糸もより強い力で引き抜かれることになる。よって、太い釣り糸を掛けた場合でも、台紙右部３の釣り糸掛け部で発生する摩擦抵抗に打ち勝つことが出来、糸付き針全体をスムーズに引き抜くことが出来る。
【０００８】
台紙底部４の釣り糸掛け部での釣り糸のすべりをよくする為には、台紙底部４に設ける釣り糸掛け部を釣り糸との抵抗がより少ない形状にする。その為、本願発明は、台紙底部４の釣り糸掛け部を、中央部に設けた穴７と、前記穴７の右及び左側に設けた切り込みＣ、Ｃと、前記切り込みＣ、Ｃの中心付近に直交するように形成した折り曲げ線Ｄ、Ｄ及び、切り込みＣ、Ｃに通す細棒８とで構成する。
【０００９】
または、台紙底部４に設ける釣り糸掛け部を、円形もしくは多角形のフレーム状の部材で構成する。
【００１０】
【発明の実施の形態】
本発明の実施の形態を図面を参照して説明する。尚、図面では台紙底部４以外の形状は意匠登録第１０６９９２６号の形状と同じであるが、切り込み、釣り糸掛け部等の位置や個数は、糸付き針の釣り糸の長さ等に応じて変えることもできる。但し、意匠登録第１０６９９２６号の場合は、図３の如く切り込み１０より裏側に通した釣り糸を最初に台紙中央部２の釣り糸掛け部２箇所に掛け留めることにより釣り糸を折り返し、台紙右部の釣り糸掛け部に釣り糸を掛けていたが、本発明の糸付き針収容台紙は、図７の如く、切り込み１０より裏側に通した釣り糸を最初に台紙底部４の釣り糸掛け部に掛けることにより、釣り糸は折り返され、台紙右部３の釣り糸掛け部に釣り糸を持っていくことが出来るので、意匠登録第１０６９９２６号にある台紙中央部の釣り糸掛け部２箇所は不要になる。
【００１１】
図１は請求項１記載の本発明を実施した糸付き針用収納台紙の展開図である。台紙を横方向に３等分する折り曲げ線Ａ，Ａと台紙中央部２の底辺に折り曲げ線Ｂを形成し、台紙中央部２と一体となって、下部に形成されている台紙底部４を形成する。そして、台紙中央部２の上部に針掛け１４を差し込む為の切り込み９と、釣り糸を裏側に通す為の切り込み１０を形成している。
【００１２】
また、台紙右部３に複数の半円形の切り込み５とその両端に円形６を窄設して形成される釣り糸掛け部と差込み端１３を差し込む為の切り込み１２を形成している。台紙左部１には、側端の２箇所を切り欠くことにより差込み部１３を形成している。台紙底部４には中央部に穴７を設け、前記穴７の右及び左側に切り込みＣ、Ｃと前記切込みＣ、Ｃの中心付近に直交するように折り曲げ線Ｄ、Ｄが形成されている。
【００１３】
ここまで述べてきた状態の台紙は、所定の位置に折り曲げ線Ａ、Ａ、Ｂ、Ｄ、Ｄや各釣り糸掛け部や切り込み１２、Ｃ、Ｃ及び穴７を形成させるように作られた金型を作成し、その金型で台紙の原紙を打ち抜くことによって得られる。その他いろいろなやり方が考えられるが、この方法がもっとも効率が良い。
【００１４】
そして、図５の如く、得られた台紙底部４に釣り糸を掛ける為の細棒８を切り込みＣ、Ｃに差し込み、折り曲げ線Ｄ，Ｄで内側に折り返し、さらに折り曲げ線Ｂで内側に折り返すことによって、台紙底部４の釣り糸掛け部が形成される。細棒８の材質は、釣り糸との摩擦抵抗が少ないプラスチックで出来たものが良いが、棒状である程度曲がり難いもので出来ていればよいので、低コストで入手しやすい直径が１ｍｍから１．５ｍｍのナイロンハリスを細棒に流用するのが良い。具体的には、５０号前後のナイロンハリスを底部４の横幅より少し短めに切ったものを細棒８として使用する。
【００１５】
実際に台紙底部４の釣り糸掛け部に釣り糸を通す過程を、図７を用いて説明する。針掛け１４に釣り針１５を掛け、切り込み１０から、釣り糸１６を裏側に通し、そのまま、真っ直ぐ下に引きおろし、穴７に釣り糸を通して細棒８に掛け、そのまま上方に釣り糸を持っていき、台紙右部上段の釣り糸掛け部から、左周りに下段の釣り糸掛け部に向けて釣り糸を掛けていき、次に中段の糸掛け部に掛ける。掛け終わると、折り曲げ線Ａ，Ａ，Ｅを裏側に折り曲げ、差込み端１３を切り込み１２に差し込んで、糸付き針を収納する。
【００１６】
この台紙底部４に形成した釣り糸掛け部は、従来の半円形の切り込み５を入れて、その両端に円形６を窄設することにより形成した釣り糸掛け部よりも、糸付き針を引き抜く際の釣り糸掛け部での釣り糸のすべりが良くなる。これは、釣り糸が細棒８と１点で接触しており、従来の両端の円形６の２点で接触していた釣り糸掛け部よりも抵抗が少なくなるためである。これにより、太いハリスを結んだ糸付き針でもスムーズに糸付き針を取り出せるようになる。加えて、細棒の素材が釣り糸と同じナイロンのものを用いることにより、従来の紙で形成された釣り糸掛け部よりも釣り糸との摩擦抵抗をより少なくできる。その為、台紙底部４に釣り糸掛け部においては、引き抜く際の抵抗がより少なくなり、台紙底部４での糸抜けがさらに良くなる。
【００１７】
図８は請求項２記載の本発明を実施した糸付き針収納台紙底部の背面展開図である。図８では台紙底部４に円形のフレーム１７を掛けとめて釣り糸掛け部を形成しているが、フレームの形状は釣り糸を掛け通すことが出来れば四角形その他どんな形状でもよい。フレームの材質は、釣り糸との摩擦抵抗の少ないプラスチックまたはナイロンが望ましい。
【００１８】
図９に円形のフレーム１７を台紙底部４に掛け止める手順の一例を示す。台紙底部４以外の形状は請求項１記載の台紙と同様とする為省略する。台紙底部４の形状は図９（イ）にあるように略Ｔ字形にするのが望ましい。台紙底部４の形状はフレームを掛けることが出来ればその他の形状でも良い。台紙底部４には略Ｔ字形の全長を約２等分する位置に折り曲げ線Ｆを、また、略Ｔ字形の横棒部分の真ん中付近に略Ｔ字形の縦棒の幅より若干長い切り込み１８を形成している。ここまでの状態は請求項１記載の台紙と同様、所定の位置に折り曲げ線や釣り糸掛け部や切り込み線等を形成させるように作られた金型を作成し、その金型で台紙の原紙を打ち抜くことによって得られる。
【００１９】
次に図９（ロ）のように、折り曲げ線Ｆで折り曲げ、円形のフレーム１７を折り曲げ線Ｆに掛ける。そして図９（ハ）のように、Ｔ字形の先端を切り込み１８に差し込むことで円形のフレーム１７は台紙底部４に掛けとめられる。最後に、折り曲げ線Ｂで台紙裏側に折り曲げることにより台紙底部の釣り糸掛け部が形成される。糸付き針を収容する手順は請求項１記載の糸付き針収容台紙と同じであるので省略する。
【００２０】
請求項２記載の釣り糸掛け部は請求項１記載の釣り糸掛け部同様、釣り糸が円形フレーム１７の内周の１点で接触するため、従来の２点で接触していた釣り糸掛け部よりも抵抗が少なくなる。これにより、太いハリスを結んだ糸付き針でもスムーズに糸付き針を取り出せるようになる。また、円形フレーム１７は釣り糸との摩擦抵抗が少ないプラスチックまたはナイロン製のものを用いることにより、従来の紙で形成された釣り糸掛け部よりも摩擦抵抗をより少なくできる。その為、台紙底部４においては、引き抜く際の抵抗がより少なくなり、台紙底部４での糸抜けをさらに良くすることが出来る。
【００２１】
【発明の効果】
以上説明したように請求項１または請求項２記載の本考案の糸付き針用収納台紙によれば、台紙底部４に従来よりも抵抗の少ない形状の釣り糸掛け部を形成することにより、糸付き針を引き抜く際の釣り糸のすべりがよくなる。台紙底部４の釣り糸掛け部は一番初めに釣り糸を掛けるところであり、ここでの釣り糸のすべりがよくなれば、その後に続く台紙右部３の釣り糸掛け部に掛けられた釣り糸にも、釣り糸を引き抜く際の力が、極力減衰することなく伝わる。よって、意匠登録第１０６９９２６号の糸付き針収容台紙の場合と同じ強さの力で糸付き針を引き抜いても、本発明の糸付き針収容台紙に収容された糸付き針はより強い力で引き抜かれることになるので、太い釣り糸を結んだ糸付き針でも、スムーズに取り出すことが出来る。
【図面の簡単な説明】
【図１】本発明の糸付き針収容台紙の正面展開図
【図２】従来の糸付き針収容台紙の正面展開図
【図３】従来の糸付き針収容台紙に糸付き針を掛けた状態の背面展開図
【図４】従来の糸付き針収容台紙に糸付き針を収容した状態を示す図
【図５】請求項１記載の糸付き針収容台紙の釣り糸掛け部の形成過程を示した図
【図６】請求項１記載の糸付き針収容台紙の釣り糸掛け部の斜視図
【図７】請求項１記載の糸付き針収容台紙に糸付き針を掛けた状態の背面展開図
【図８】請求項２記載の糸付き針収容台紙底部の背面展開図
【図９】請求項２記載の糸付き針収納台紙底部に円形のフレーム１７を掛けとめる過程を示した図
【符号の説明】
１    台紙左部
２    台紙中央部
３    台紙右部
４    台紙底部
５    半円形の切り込み
６    円形の穴
７        穴
８        細棒
９        針掛けを差し込む為の切り込み
１０    釣り糸を裏側に通す為の切り込み
１１    折りしろ
１２    差込み端を差し込む為の切り込み
１３    差込み端
１４    針掛け
１５    釣り針
１６    釣り糸
１７    円形のフレーム
１８    請求項２記載の台紙底部の切り込み
Ａ  台紙を横方向に３等分する折り曲げ線
Ｂ  台紙中央部２底辺の折り曲げ線
Ｃ  請求項１記載の台紙底部４の切り込み
Ｄ  請求項１記載の台紙底部４の折り曲げ線
Ｅ  台紙右部上辺の折り曲げ線
Ｆ  請求項２記載の台紙底部の折り曲げ線
【図１】
2004313067.tif 000003
【図２】
2004313067.tif 000004
【図３】
2004313067.tif 000005
【図４】
2004313067.tif 000006
【図５】
2004313067.tif 000007
【図６】
2004313067.tif 000008
【図７】
2004313067.tif 000009
【図８】
2004313067.tif 000010
【図９】
2004313067.tif 000011